(57)【要約】【課題】  構造が簡単で製作しやすく、持ち運びや現場での設置が簡単であり、間伐材から木取した長尺板材を利用可能で、自然の景色と調和する木製Ｕ字側溝を提供する。【解決手段】  断面矩形状の一対の長尺矩形板材２と、該一対の長尺矩形板材２の間に並列に配置された断面台形状でその底面側が上面側よりも幅広で側面が傾斜した複数の長尺台形板材３と、これらの長尺板材２，３の底面２ａ，３ａ側をその長手方向と直交する方向で連結するための、長手方向に沿って複数設けられた金属製のバンド４とを有し、上記長尺矩形板材及び２長尺台形板材３の隣り合う側面２ｃ、３ｃを互いに接合させて断面略Ｕ字状のＵ字側溝を構成する。【選択図】        図１
2006070666.tif 000002
【特許請求の範囲】
【請求項１】
断面矩形状の一対の長尺矩形板材と、該一対の長尺矩形板材の間に並列に配置された断面台形状でその底面側が上面側よりも幅広で側面が傾斜した複数の長尺台形板材と、これらの長尺板材の底面側をその長手方向と直交する方向で連結するための、長手方向に沿って複数設けられた金属製のバンドとを有し、
上記長尺矩形板材及び長尺台形板材の隣り合う側面を互いに接合させて断面略Ｕ字状のＵ字側溝を構成した、
ことを特徴とする木製Ｕ字側溝。
【請求項２】
上記長尺矩形板材及び長尺台形板材の底面側を連結した上記金属製のバンドを折り曲げ、その状態に固定することによって、上記断面略Ｕ字状のＵ字側溝を構成した、
ことを特徴とする請求項１に記載の木製Ｕ字側溝。
【請求項３】
上記長尺矩形板材及び長尺台形板材の隣り合う側面が接着剤で互いに固着されている、
ことを特徴とする請求項１または２に記載の木製Ｕ字側溝。
【請求項４】
上記一対の長尺矩形板材が上記木製Ｕ字側溝の上部側壁を構成し、その外壁面に浮き上がり防止用の長手方向に延びる凹部を設けた、
ことを特徴とする請求項１〜３のいずれかに記載の木製Ｕ字側溝。
【請求項５】
上記複数の長尺台形板材の中の少なくとも１つが上記Ｕ字側溝の底壁を構成し、該底壁となる長尺台形板材の端部底面に、浮き上がり防止と、隣接する木製Ｕ字側溝の底壁となる長尺台形板材とのジョイントとを兼ねた台座板を設けた、
ことを特徴とする請求項１〜４のいずれかに記載の木製Ｕ字側溝。
【請求項６】
上記一対の長尺矩形板材が上記木製Ｕ字側溝の上部側壁を構成し、その上面に該一対の長尺矩形板材どうしを連結する少なくとも１つの固定桟木を設けた、
ことを特徴とする請求項１〜５のいずれかに記載の木製Ｕ字側溝。
【請求項７】
上記長尺矩形板材及び長尺台形板材が、１本の間伐材の半割材から木取される大きさを有する、
ことを特徴とする請求項１〜６のいずれかに記載の木製Ｕ字側溝。
【発明の詳細な説明】
【技術分野】
【０００１】
本発明は、主として林道その他の比較的短期の利用に供する道路の側溝を構成する木製Ｕ字側溝に関するものである。
【背景技術】
【０００２】
主として林道その他の比較的短期の利用に供する道路の側溝道路の側溝としては、コンクリート製のＵ字側溝のように耐久性のあるものを用いる必要がなく、現場への運搬や現場での設置が容易で、より簡易で安価なものが望まれている。
また、林業では大きな木に育てるために間伐が必要であり、そのために利用価値の低い間伐材が多量に発生し、その利用法の開発が望まれている。
【発明の開示】
【発明が解決しようとする課題】
【０００３】
上記実情に鑑み、本発明者は、木製のＵ字側溝を、間伐材から木取した長尺板材を利用可能な構造にすることが有効であるとの知見に基づいて本発明をなすに至ったもので、その技術的課題は、間伐材から木取した長尺板材を利用でき、構造が簡単で製作しやすく、持ち運びや現場での設置が簡単な木製Ｕ字側溝を提供することにある。
また、本発明の他の技術的課題は、間伐材から木取した長尺板材を利用可能で、自然の景色と調和する木製Ｕ字側溝を提供することにある。
【課題を解決するための手段】
【０００４】
上記課題を解決するため、本発明の木製Ｕ字側溝は、断面矩形状の一対の長尺矩形板材と、該一対の長尺矩形板材の間に並列に配置された断面台形状でその底面側が上面側よりも幅広で側面が傾斜した複数の長尺台形板材と、これらの長尺板材の底面側をその長手方向と直交する方向で連結するための、長手方向に沿って複数設けられた金属製のバンドとを有し、上記長尺矩形板材及び長尺台形板材の隣り合う側面を互いに接合させて断面略Ｕ字状のＵ字側溝を構成したことを特徴とするものである。
【０００５】
本発明の具体的な構成態様によれば、上記長尺矩形板材及び長尺台形板材の底面側を連結した上記金属製のバンドを折り曲げ、その状態に固定することによって、上記断面略Ｕ字状のＵ字側溝を構成し、また、上記長尺矩形板材及び長尺台形板材の隣り合う側面が接着剤で互いに固着される。
【０００６】
本発明の更に具体的な構成態様によれば、上記一対の長尺矩形板材が上記木製Ｕ字側溝の上部側壁を構成し、その外壁面に浮き上がり防止用の長手方向に延びる凹部を設け、また、上記複数の長尺台形板材の中の少なくとも１つが上記Ｕ字側溝の底壁を構成し、該底壁となる長尺台形板材の端部底面に、浮き上がり防止と、隣接する木製Ｕ字側溝の底壁となる長尺台形板材とのジョイントとを兼ねた台座板が設けられる。
【０００７】
本発明の更に具体的な構成態様によれば、上記一対の長尺矩形板材が上記木製Ｕ字側溝の上部側壁を構成し、その上面に該一対の長尺矩形板材どうしを連結する少なくとも１つの固定桟木を設け、また、上記長尺矩形板材及び長尺台形板材が、１本の間伐材の半割材から木取される大きさを有するものとして構成される。
【０００８】
上記構成を有する木製Ｕ字側溝は、上記長尺矩形板材及び長尺台形板材の隣り合う側面を互いに接合させて断面略Ｕ字状のＵ字側溝を構成したため、構造が簡単で製作し易く、持ち運びや現場での設置が簡単である。
また、複数の長尺板材を金属製のバンドで連結してＵ字側溝を構成するため、１枚当たりの長尺板材の板幅を大きくしなくても済み、間伐材から木取した長尺板材を利用することができ、金属製のバンドによりＵ字側溝の連結の強度をもたせることができる。
更に、上記構成を有する木製Ｕ字側溝は、木製で暖かい感じがするため、無機質で冷たい感じがする鉄筋コンクリート製のＵ字側溝よりも自然の景色と調和する。
【０００９】
上記木製Ｕ字側溝は、長尺矩形板材及び長尺台形板材の底面側を連結した上記金属製のバンドを折り曲げ、その状態に固定することによって、上記断面略Ｕ字状のＵ字側溝を構成できるようにしているため、略平面状に展開した状態で現場に運搬し、現場で金属製のバンドを折り曲げることによって、断面略Ｕ字状のＵ字側溝に組み立てることができる。現場で木製Ｕ字側溝に組み立てる前の状態は、複数の長尺板材の底面側が金属製のバンドで連結された全体として略平面状の板材であるから、該略平面状の板材の複数個を積み重ねた状態で保管したり運搬することができ、そのため、省スペースであると共に現場へ運搬も容易である。
【００１０】
上記木製Ｕ字側溝は、上記長尺矩形板材及び長尺台形板材の隣り合う側面が接着剤で互いに固着することにより、隣り合う長尺板材どうしをしっかりと固定することができ、また、上記一対の長尺矩形板材が上記木製Ｕ字側溝の上部側壁を構成し、その外壁面に浮き上がり防止用の長手方向に延びる凹部を設けることにより、該木製Ｕ字側溝を現場で設置する際に該凹部に土が入ることにより該木製Ｕ字側溝の浮き上がりを防止することができる。
【００１１】
上記木製Ｕ字側溝においては、その底壁を構成する長尺台形板材の端部底面に、浮き上がり防止と、隣接する木製Ｕ字側溝の底壁となる長尺台形板材とのジョイントとを兼ねた台座板を設けることにより、該木製Ｕ字側溝の浮き上がりを防止することができると共に、該木製Ｕ字側溝を隣接する木製Ｕ字側溝と連結することができる。
【００１２】
上記木製Ｕ字側溝は、上記一対の長尺矩形板材の上面に該一対の長尺矩形板材どうしを連結する固定桟木を設けることにより、Ｕ字側溝の連結の形状を強固に保たせることができる。また、上記長尺矩形板材及び長尺台形板材は、１本の間伐材の半割材から木取できるため、間伐材を有効利用することができる。
上記木製Ｕ字側溝は、主として林道の側溝において用いるものとして説明しているが、公園やテーマパークの歩道や遊歩道のように、心に安らぎを与えるための場所でも使用することができ、この場合、無機質で冷たい感じがする鉄筋コンクリート製のＵ字側溝よりも暖かい感じを与え、自然の景観と調和させることができる。
【発明の効果】
【００１３】
本発明によれば、構造が簡単で製作しやすく、持ち運びや現場での設置が簡単であり、間伐材から木取した長尺板材を利用可能で、自然の景色と調和する木製Ｕ字側溝を提供することができる。
【発明を実施するための最良の形態】
【００１４】
図１〜図４は、本発明に係る木製Ｕ字側溝の一実施例を示している。
この木製Ｕ字側溝１は、図１〜図２に示すように、断面矩形状の一対の長尺矩形板材２と、該一対の長尺矩形板材２の間に並列に配置された断面台形状でその底面３ａ側が上面３ｂ側よりも幅広で側面が傾斜した複数の長尺台形板材３と、これらの長尺板材２，３の底面２ａ，３ａ側をその長手方向と直交する方向で連結するための、長手方向に沿って複数設けられた金属製のバンド４とを有し、上記長尺矩形板材２及び長尺台形板材３の隣り合う側面２ｃ、３ｃを互いに接合させて断面略Ｕ字状のＵ字側溝を構成している。
【００１５】
上記木製Ｕ字側溝１は、図１〜図３に示すように、断面矩形状の一対の長尺矩形板材２の間に断面台形状で、その底面３ａ側が上面３ｂ側よりも幅広であって側面が傾斜した複数の長尺台形板材３を並列に配置し、これらの長尺板材２，３の底面２ａ，３ａ側をその長手方向と直交する方向で連結する金属製のバンド４を、その長手方向に沿って複数設け、これらの複数の金属製のバンド４を折り曲げて上記長尺矩形板材２及び長尺台形板材３の隣り合う側面２ｃ、３ｃを互いに接合させることによって、上記断面略Ｕ字状のＵ字側溝を構成している。
【００１６】
また、上記長尺矩形板材２及び長尺台形板材３は、これらの隣り合う側面にエポキシ樹脂系の接着剤を塗布してから接合させるのが望ましく、これらの隣り合う側面を接着剤を介して接合させると、隣り合う長尺板材どうしをしっかりと固定することができる。接着剤としては、上記エポキシ樹脂系その他の接着剤で、耐水性にすぐれたものを用いる必要がある。
【００１７】
上記金属製のバンド４と長尺板材２，３との連結は、図２に示すように、金属製のバンド４を長尺板材２，３に複数の釘５で固着することにより行われるが、ネジ等の他の固着手段により上記金属製のバンド４と長尺板材２，３とを連結してもよい。
上記金属製のバンド４は、図１〜図２に示すように、その両端部４ａを上記一対の長尺矩形板材２の底面２ａ側の中央部付近で折り曲げて該長尺矩形板材２内に食い込ませるようにし、上記釘５が通る複数の貫通孔をその長手方向に沿って設けている。
上記金属製のバンド４としては、腐食防止のために亜鉛メッキを施した帯鉄が使用され、上記長尺矩形板材２及び長尺台形板材３には腐食防止のために防腐剤が注入される。
【００１８】
上記木製Ｕ字側溝１は、複数の長尺板材２，３を金属製のバンド４で連結してＵ字側溝を構成しているため、１枚当たりの長尺板材の板幅を、間伐材から木取できる長尺板材の板幅に設定することができる。間伐材は、直径１５ｃｍ位の丸太であるため、図４に示すように、１本の間伐材９の半割材から、上記長尺矩形板材２と上記長尺台形板材３とをセットで、あるいは一対の長尺台形板材３を木取することにより、上記木製Ｕ字側溝１の製造に供することができる。
【００１９】
また、上記木製Ｕ字側溝１は、図１〜図３に示すように、該木製Ｕ字側溝１の上部側壁を構成する上記長尺矩形板材２の外壁面２ａ（底面２ａ）に、浮き上がり防止用の長手方向に延びる凹部７を設けている。該凹部７は、図２に示すように、上記長尺矩形板材２内に食い込ませた金属製のバンド４の端部４ａよりも上方位置に設けるのが好ましいが、必ずしも図２の実施例に限定されるものではない。
該凹部７は、上記木製Ｕ字側溝１を道路の側方に設置する際にそこに土砂が入り込むことにより該木製Ｕ字側溝１が浮き上がるのを防止する機能を有するものである。
【００２０】
また、上記木製Ｕ字側溝１は、図１に示すように、上記複数の長尺台形板材３の中の少なくとも１つが上記Ｕ字側溝１の底壁を構成し、該底壁となる長尺台形板材３の端部底面に、浮き上がり防止と、隣接する木製Ｕ字側溝の底壁となる長尺台形板材（図示省略）とのジョイントとを兼ねた台座板８を設けている。
該台座板８は矩形状の板であり、その横幅は上記底壁となる長尺台形板材３の横幅より長く、その縦幅は上記底壁となる長尺台形板材３と隣接する木製Ｕ字側溝の底壁となる長尺台形板材とに跨ってそれらをジョイントするに十分な長さを有している。
【００２１】
上記木製Ｕ字側溝１と隣接する木製Ｕ字側溝とのジョイントは、上記台座板８を上記底壁となる長尺台形板材３及び上記隣接する木製Ｕ字側溝の底壁となる長尺台形板材に複数の釘５で固着することにより行われる。
上記台座板８は、上記木製Ｕ字側溝１を設置したとき、該木製Ｕ字側溝１の底壁を構成する長尺台形板材３の幅方向両側から飛び出た該台座板８の横幅部分（図１参照）が道路の側方の土で押圧されるため、該木製Ｕ字側溝１の浮き上がりが防止される。
【００２２】
また、上記木製Ｕ字側溝１は、図１〜図２に示すように、上記木製Ｕ字側溝１の上部側壁を構成する上記一対の長尺矩形板材２の上面に該一対の長尺矩形板材２どうしを連結する少なくとも１つの固定桟木６を設けている。
該固定桟木６は、その両端底部に上記長尺矩形板材２の上端部が接合する断面Ｌ字状の切欠部６ａを有しており、該固定桟木６の切欠部６ａを上記長尺矩形板材２の上端部に接合させた状態で両者を複数の釘５で固着している。該固定桟木６の固着は接着剤やネジ等の他の固着手段により固着させてもよい。
上記台座板８及び上記固定桟木６も、腐食防止のために防腐剤が注入される。
【００２３】
上記木製Ｕ字側溝１は、上記一対の長尺矩形板材２の上面に、該木製Ｕ字側溝１の長手方向に延びる木製の蓋（図示せず）を設けてもよい。この蓋は、例えば、木製Ｕ字側溝を人が横切る箇所にだけ設けてもよい。
【００２４】
以上、本発明の木製Ｕ字側溝の１実施例について詳述したが、本発明は、上記実施例に限定されるものではなく、本発明の特許請求の範囲に記載の発明の精神を逸脱しない範囲で、設計において種々の変更ができるものである。
例えば、図１〜図３に示す実施例では、固定桟木６は上記一対の長尺矩形板材２どうしを連結するために設けられているが、その幅を大きくし、一対の長尺矩形板材２どうしを連結する機能の他に隣接する木製Ｕ字側溝とジョイントさせる機能を持たせてもよい。
【図面の簡単な説明】
【００２５】
【図１】本発明に係る木製Ｕ字側溝の一実施例を示す斜視図である。
【図２】同、縦断面図である。
【図３】同、組立前の状態の縦断面図である。
【図４】本発明に用いられる長尺板材を間伐材から木取する場合の一例を示す断面図である。
【符号の説明】
【００２６】
１      木製Ｕ字側溝
２      長尺矩形板材
２ａ    長尺矩形板材の底面
２ｂ    長尺矩形板材の上面
２ｃ    長尺矩形板材の側面
３      長尺台形板材
３ａ    長尺台形板材の底面
３ｂ    長尺台形板材の上面
３ｃ    長尺台形板材の側面
４      金属製のバンド
５      釘
６      固定桟木
６ａ    切欠部
７      凹部
８      台座板
９      間伐材
【図１】
2006070666.tif 000003
【図２】
2006070666.tif 000004
【図３】
2006070666.tif 000005
【図４】
2006070666.tif 000006